(57)【要約】【課題】電源が供給されていない夜間等においても、開閉扉またはおよび遊技盤本体の鍵の不正開錠を検知する。【解決手段】外枠および該外枠に対して開閉自在に配設された開閉扉９および遊技盤本体を備えた遊技機において、前記開閉扉またはおよび遊技盤本体の鍵の開錠動作に基づき移動する移動部材３０１と、前記移動部材の位置を検出して定位置にあるのか、移動した位置にあるのかを検出する位置検出センサー３０２と、前記位置検出センサー３０２の出力に基づき前記開閉扉９またはおよび遊技盤本体の開閉を判定する判定回路を備える遊技機。【選択図】図２
2010029321.tif 000002
【特許請求の範囲】
【請求項１】
外枠および該外枠に対して開閉自在に配設された開閉扉および遊技盤本体を備えた遊技機において、
前記開閉扉またはおよび遊技盤本体の鍵の開錠動作に基づき移動する移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の開錠を判定する判定回路を備えた
ことを特徴とする遊技機。
【請求項２】
外枠および該外枠に対して開閉自在に配設された開閉扉および遊技盤本体を備えた遊技機において、
前記開閉扉またはおよび遊技盤本体の鍵の開錠動作に基づく回転動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の開錠を判定する判定回路を備えた
ことを特徴とする遊技機。
【請求項３】
外枠および該外枠に対して開閉自在に配設された開閉扉および遊技盤本体を備えた遊技機において、
前記開閉扉またはおよび遊技盤本体の鍵の開錠動作に基づく回転動作を直線動作に変換する変換機構を備え、前記変換機構によって変換された直線動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の開錠を判定する判定回路を備えた
ことを特徴とする遊技機。
【請求項４】
請求項１ないし請求項３のいずれかにおいて、
前記判定回路において前記移動部材が移動位置にあることが判定された時には、異常を報知する報知手段を備えた
ことを特徴とする遊技機。
【請求項５】
請求項１ないし請求項３のいずれかにおいて、
前記判定回路において前記移動部材が定位置にあることを判定された時には、正常を報知する報知手段を備えた
ことを特徴とする遊技機。
【発明の詳細な説明】
【技術分野】
【０００１】
本発明は、外枠および該外枠に対して開閉自在に配設された開閉扉および遊技盤本体を備えた遊技機において、夜間における前記開閉扉またはおよび遊技盤本体の鍵の不正開錠を検知する遊技機に関するものである。
【背景技術】
【０００２】
従来の第１の遊技機においては、図２５に示されるように開閉自在の前面扉が上扉および下扉に分割された筐体を備え、下扉の裏面側上部に移動部材Ｉが設けられ、変更許可ボタンセンサから許可信号が出力されていない時において、設定変更操作が不正に行われた時にはソレノイドＳＬにより前記移動部材Ｉを移動させて、下扉の閉動作を阻止するものであった。
【特許文献１】特開２００７−１１７４１８
【０００３】
また従来の第２の遊技機においては、図２６に示されるように扉が開放されると、レールＲに移動可能に取り付けられた扉開放センサＳが駆動部によってレールＲに沿って移動されることにより、扉の開放を検知するものであった。
【特許文献２】特開２００６−１４９４８５
【発明の開示】
【発明が解決しようとする課題】
【０００４】
しかしながら、上記従来の第１の遊技機においては、昼間の開店時間内において、変更許可ボタンセンサから許可信号が出力されていない時に設定変更操作が不正に行われた時にはソレノイドＳＬにより前記移動部材Ｉを移動させて、下扉の閉動作を阻止するものであり、電源供給のない夜間における前記開閉扉またはおよび遊技盤本体の不正開閉を検知することは出来ないという問題があった。
【０００５】
また従来の第２の遊技機においては、昼間の開店時間内において、扉が開放されると、レールＲに移動可能に取り付けられた扉開放センサＳが駆動部によってレールＲに沿って移動されることにより、扉の開放を検知するものであり、駆動部への電源供給のない夜間における前記開閉扉またはおよび遊技盤本体の不正開閉を検知することは出来ないという問題があった。
【０００６】
そこで本発明者は、外枠および該外枠に対して開閉自在に配設された開閉扉および遊技盤本体を備えた遊技機において、夜間における前記開閉扉またはおよび遊技盤本体の鍵の開錠動作に連動して動く移動部材の位置を、翌朝電源投入がされた後、位置検出センサーによって、定位置にあるのか、移動した位置にあるのかを検出して、前記位置検出センサーの出力に基づき判定回路により前記開閉扉またはおよび遊技盤本体の鍵の開施錠を判定するという本願発明の第１の基本的な技術的思想に着眼した。
【０００７】
さらに本発明者は、上述の着眼した基本的な技術的思想に基づき、研究開発を重ねた結果、夜間における前記開閉扉またはおよび遊技盤本体の鍵の不正開錠を検知するという目的を達成する本発明に到達した。
【課題を解決するための手段】
【０００８】
本発明（請求項１に記載の第１発明）の遊技機は、
外枠および該外枠に対して開閉自在に配設された開閉扉および遊技盤本体を備えた遊技機において、
前記開閉扉またはおよび遊技盤本体の鍵の開錠動作に基づき移動する移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の開錠を判定する判定回路を備えた
ものである。
【０００９】
本発明（請求項２に記載の第２発明）の遊技機は、
外枠および該外枠に対して開閉自在に配設された開閉扉および遊技盤本体を備えた遊技機において、
前記開閉扉またはおよび遊技盤本体の鍵の開錠動作に基づく回転動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の開錠を判定する判定回路を備えた
ものである。
【００１０】
本発明（請求項３に記載の第３発明）の遊技機は、
外枠および該外枠に対して開閉自在に配設された開閉扉および遊技盤本体を備えた遊技機において、
前記開閉扉またはおよび遊技盤本体の鍵の開錠動作に基づく回転動作を直線動作に変換する変換機構を備え、前記変換機構によって変換された直線動作によって動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の鍵の開錠を判定する判定回路を備えた
ものである。
【００１１】
本発明（請求項４に記載の第４発明）の遊技機は、
前記第１発明ないし前記第３発明のいずれかにおいて、
前記判定回路において前記移動部材が移動位置にあることが判定された時には、異常を報知する報知手段を備えた
ものである。
【００１２】
本発明（請求項５に記載の第５発明）の遊技機は、
前記第１発明ないし前記第３発明のいずれかにおいて、
前記判定回路において前記移動部材が定位置にあることを判定された時には、正常を報知する報知手段を備えた
ものである。
【発明の効果】
【００１３】
上記構成より成る第１発明の遊技機は、外枠および該外枠に対して開閉自在に配設された開閉扉および遊技盤本体を備えた遊技機において、前記開閉扉またはおよび遊技盤本体の鍵の開錠動作に基づき移動する前記移動部材の位置が前記位置検出センサーにより定位置にあるのか、移動した位置にあるのかを検出し、前記位置検出センサーの出力に基づき前記判定回路により前記開閉扉またはおよび遊技盤本体の前記鍵の開閉を判定することによって、夜間における前記開閉扉またはおよび遊技盤本体の前記鍵の不正開錠を確実に検知することにより、遊技盤に配設された釘への不正操作および制御基板の不正改造に対する処置を可能にするという効果を奏する。
【００１４】
上記構成より成る第２発明の遊技機は、外枠および該外枠に対して開閉自在に配設された開閉扉および遊技盤本体を備えた遊技機において、前記開閉扉またはおよび遊技盤本体の鍵の開錠動作に基づく回転動作によって動く前記移動部材の位置が、前記位置検出センサーにより定位置にあるのか、移動した位置にあるのかを検出し、前記位置検出センサーの出力に基づき前記判定回路により前記開閉扉またはおよび遊技盤本体の前記鍵の開閉を判定することによって、少ない数の部品を用いて夜間における前記開閉扉またはおよび遊技盤本体の前記鍵の不正開錠を確実に検知することにより、遊技盤に配設された釘への不正操作および制御基板の不正改造に対する処置を可能にするという効果を奏する。
【００１５】
上記構成より成る第３発明の遊技機は、外枠および該外枠に対して開閉自在に配設された開閉扉および遊技盤本体を備えた遊技機において、前記開閉扉またはおよび遊技盤本体の鍵の開錠動作に基づく回転動作を直線動作に変換する前記変換機構によって変換された直線動作によって動く前記移動部材の位置が、前記位置検出センサーにより定位置にあるのか、移動した位置にあるのかを検出し、前記位置検出センサーの出力に基づき前記判定回路により前記開閉扉またはおよび遊技盤本体の前記鍵の開閉を判定することによって、シンプルな動きを検知することにより前記開閉扉またはおよび遊技盤本体の前記鍵の不正開錠を確実に検知することにより、遊技盤に配設された釘への不正操作および制御基板の不正改造に対する処置を可能にするという効果を奏する。
【００１６】
上記構成より成る第４発明の遊技機は、前記第１発明ないし第３発明のいずれかにおいて、前記報知手段が、前記判定回路において前記移動部材が移動位置にあることが判定された時には、異常を報知するので、夜間における前記開閉扉またはおよび遊技盤本体の前記鍵の不正開錠があったことを確実に報知して、遊技盤に配設された釘への不正操作および制御基板の不正改造に対する処置を可能にするという効果を奏する。
【００１７】
上記構成より成る第５発明の遊技機は、前記第１発明ないし第３発明のいずれかにおいて、前記報知手段が、前記判定回路において前記移動部材が定位置にあることが判定された時には、正常を報知するので、夜間における前記開閉扉またはおよび遊技盤本体の不正開錠が無かったことを確実に報知して、遊技盤に配設された釘への不正操作および制御基板の不正改造の有無のチェックを不要にするという効果を奏する。
【発明を実施するための最良の形態】
【００１８】
以下本発明の最良の実施の形態につき実施例に基づき、図面を用いて説明する。
【実施例１】
【００１９】
本第１実施例のパチンコ遊技機は、図１に示されるように外枠１０１と、前記外枠１０１に対して揺動自在に付設された開閉扉９および遊技盤本体１００と、前記開閉扉９またはおよび前記遊技盤１００の開閉動作を支持するヒンジ部１０２と、鍵のロック機構５０を備えたパチンコ遊技機において、図２ないし図５に示されるように前記開閉扉９の鍵の開錠動作に連動して移動する移動部材３０１と、前記移動部材３０１の位置を検出するための位置検出センサー３０２と、移動された前記移動部材３０１の位置を定位置に復帰させる復帰駆動手段３０３と、前記開閉扉９の開閉を検知する前記扉開閉検知手段４と、前記開閉扉９に配設された鍵のロック機構５０の開施錠を検知して、前記復帰駆動手段３０３の復帰動作を可能にするための開閉扉９の鍵のロック位置検出センサー５と、開閉扉９の電子ロック機構６と、電子ロック機構６のロック状態を検知する電子ロック検知手段７と、これらの検出センサーおよび検知手段からの入力情報に応じて営業時間中の正当な開閉扉９の鍵のロック機構５０の開錠かまたは営業時間外の不正な開閉扉９の鍵のロック機構５０の開錠かを判定する判定回路とを備えている。
【００２０】
鍵のロック機構５０は、図６に示されるように前記開閉扉９の前記ヒンジ部１０２と逆側（開放端側）に配設された鍵操作部５４と、前記開閉扉９に回転自在に支持され、前記鍵操作部５４の回転動作に応じて一体的に回転する円柱上の回転軸５５と、前記回転軸５５に固着された矩形部材によって構成され前記鍵操作部５４の操作による回転動作に連動して前記回転軸５５を介して一体的に回転し前記枠体１０１と係合してロックする係合部材５６とから成る。
【００２１】
移動部材３０１を構成する移動機構は、図２ないし図５に示されるように、前記鍵ロック機構５０の回転軸５５と一体的に配設されたロック部材５６の後方（図中前方）に一体的に配設され先端に歯部３１２が形成された回転部材３１１と、前記枠体１０１に回転自在に支持された支持軸３１３に配設され前記回転部材３１１の前記歯部３１２と噛み合う歯部を備えた歯車３１４と、前記支持軸３１３に配設され前記支持軸３１３が時計方向に回転したときのみ時計方向に回転する前記移動部材３０１としての外歯車３１８を備えた一方向歯車３１５とから成る。
【００２２】
前記一方向歯車３１５は、前記支持軸３１３と一体的に形成され鋸歯状の歯部を備えた内歯車３１６と、前記内歯車３１６の鋸歯状の歯部に係合する係合片３１７と、内周面に係合片３１７を介挿する凹部３１８１が形成された前記外歯車３１８とから成り、図３に示されるようにロック部材５６および回転部材３１１が図中反時計方向に回転して鍵の開錠動作が行われる時は、歯車３１４および内歯車３１６が時計方向に回転して前記係合片３１７が内歯車の鋸歯状の歯部に係合するので、前記係合片３１７を介して前記外歯車３１８が時計方向に回転する。
【００２３】
図４（ａ），（ｂ）に示されるように前記ロック部材５６および前記回転部材３１１が図中時計方向に回転して鍵の施錠動作が行われる時は、歯車３１４および内歯車３１６が反時計方向に回転すると、内歯車３１６の鋸歯状の歯部の突起部が接触する度に前記係合片３１７が前記凹部内で外方に移動して係合を回避するので、前記係合片３１７が内歯車３１６の鋸歯状の歯部に係合しないため、前記外歯車３１８が反時計方向に回転することはなく、静止している。
【００２４】
鍵の開錠が行われる時は、前記外歯車３１８が時計方向に回転するが、鍵の施錠動作が行われる時は、前記外歯車３１８が静止しており、前記外歯車３１８が反時計方向に回転することはないので、前記外歯車３１８が時計方向の回転を検知することにより、鍵の開錠動作が行われたことを検知することが出来るのである。
【００２５】
前記位置検出センサー３０２は、図２ないし図５に示されるように前記枠体１０１に配設された高さ調整用のスペーサー部材３２０と、一端が前記スペーサー部材３２０の一端に固着されたバネ材より成る薄板矩形状の揺動部材３２１と、前記揺動部材３２１の他端に回転自在に配設されたローラ状部材３２２とから成り、前記鍵操作部５４によって開錠前施錠状態にあるとき前記先端部を延長した手動操作部３１９との接触により前記ローラ状部材３２２が押圧され図中下方に退避されているので、前記ローラ状部材３２２を一端に支持する前記揺動部材３２１が前記一端を中心として図中時計方向に揺動しており、前記鍵操作部５４によって開錠動作される前の状態においては図２に示されるように図中下方に突出して、前記揺動部材３２１と非接触の接点部材３２３が図中時計方向に揺動した前記揺動部材３２１に接触して図中下方へ押圧され、前記鍵のロック機構５０が施錠されていることを検知するように構成されている。
【００２６】
前記復帰駆動手段３０３は、図２ないし図５に示されるように前記先端部を延長した手動操作部３１９を手動で回転操作するための手動操作部３１９により構成されている。
【００２７】
前記扉開閉検知手段４は、図７および図８に示されるように前記外枠１０１の前記ヒンジ部１０２が配設された枠体側面とは反対側の遊技盤側面に接合部材４１および４２により備えつけられ、開閉扉９が閉鎖された際に閉鎖状態を安定維持させるための磁石のような磁気を帯びた平行に配設された２個の部材４３と、前記開閉扉９が閉鎖された際に前記開閉扉９に押圧され後方に退避するローラ状部材４４と、一端４５１が固着され、他端に前記ローラ状部材４４を回転自在に支持するためのピン部材４５２の両端を支持する支持部４５３を有し前記ローラ状部材４４に連動して動くバネ材よりなる薄板状の揺動部材４５と、前記開閉扉９が閉鎖状態となり前記揺動部材４５が後方に押圧されると前記支持部４５３背面と当接する接点部材４５４とから成り、前記開閉扉９の閉鎖状態を検知する押圧検知センサー４６とにより構成され、主に昼間の電源投入時において前記開閉扉９が開放された際に照明の点滅または音声等で報知することにより不正開閉を抑制するために用いられる。
【００２８】
前記開閉扉９の鍵のロック位置検出センサー５は、図６に示されるように前記枠体１０１の後方、前記開閉扉９のヒンジ部１０２と逆側に前記係合部材５６と一定距離離して対向配設され、一端が固着されたバネ材より成る薄板矩形状の揺動部材５２と、前記揺動部材５２の他端に回転自在に配設されたローラ状部材５１とから成り、図６（ｂ）に示されるように前記鍵操作部５４において施錠動作された際に前記係合部材５６の先端部との接触によりローラ状部材５１が押圧され右方に退避するので、前記ローラ状部材５１を一端に支持する前記揺動部材５２が他端を中心として図中反時計方向に揺動するので、前記開閉扉９の鍵が開いている状態においては図６（ａ）に示されるように図中右方に突出して、前記揺動部材５２と非接触の接点部材５３が揺動してきた前記揺動部材５２に接触して図中左方へ押圧され、前記開閉扉９が施錠されたことを検知するように構成されている。
【００２９】
前記開閉扉９の電子ロック機構６は、図９および図１０に示されるように前記枠体１０１の後方、前記開閉扉９の前記ヒンジ部１０２と逆側のコーナー部６０に突設され、図中左右方向に移動自在に形成された円柱状の第１の往復部材６１と、前記第１の往復部材６１の駆動源となるソレノイド６２を内蔵するケース部材６３と、前記第１の往復部材６１を手動で左右方向に操作するための手動操作部６４と、前記第１の往復部材６１と上下方向に延在形成された連結部６５を介して連結された図中左右方向に往復自在に延在形成された第２の往復部材としての円柱状のロック棒６８と、前記枠体１０１の後方に固定形成され前記円柱状のロック棒６８の左右方向の動きを誘導する穴部６９を有する前記枠体１０１に固定された固定部材７０と、前記開閉扉９の後方に固定形成され図１０（ｂ）に示されるように前記円柱状のロック棒６８が図中右方に誘導された際に該円柱状のロック棒６８を収納可能な穴部７１を有した前記開閉扉９に固定配設された第２の固定部材７２とにより構成される。
【００３０】
前記電子ロック機構６のロック状態を検知する電子ロック検知手段７は、図９および図１０に示されるように前記枠体１０１の後方、前記開閉扉９のヒンジ部１０２と逆側に前記開閉扉９の電子ロック機構６の下方に一定距離離して配設された一端が固着されたバネ材より成る薄板状矩形部材の揺動部材７４と、前記揺動部材７４の他端に回転自在に配設されたローラ状部材７３とから成り、図１０（ｂ）に示されるように前記開閉扉９の電子ロック機構６において施錠動作された際に前記連結部材６５の下端６５１が図中右方へ揺動することに伴い当該下端６５１に押圧されローラ状部材７３が下方に退避するので前記ローラ状部材７３に連動して揺動部材７４が図中時計方向に揺動するため、上方に突出していた接点部材７５と揺動した揺動部材７４とが当接することによりロック状態を検知するように構成されている。
【００３１】
前記判定回路は、図１に示されるように前記外枠１０１の左側上下部の端部に配設されたヒンジ部１０２によって前記開閉扉９とともに揺動自在に支持された前記遊技盤本体１００の裏面に配設された制御基板１０８上に配設されたマイクロコンピュータ８０によって構成される。
【００３２】
前記マイクロコンピュータ８０は、図１１に示されるように前記制御基板１０８上に配設されたＣＰＵ８１と、制御プログラム、不正開閉判定プログラム他の各種プログラムおよびデータが格納されているＲＯＭ８２およびＲＡＭ８３と、Ｉ／０すなわち入出力インターフェース８４とから成る。
【００３３】
前記入出力インターフェース８４の入力インターフェース８４１には、前記位置検出センサー２の押圧検知センサー２２と、前記扉開閉検知手段４の押圧検知センサー４６と、前記開閉扉９の鍵のロック位置検出センサー５と、電子ロック検知手段７その他のセンサーおよび前記解除スイッチ１１０その他の各種スイッチがそれぞれ接続されている。
【００３４】
前記入出力インターフェース８４の出力インターフェース８４２には、図柄表示装置、スピーカ、装飾ランプ、役物装置、遊技球発射ソレノイド、前記復帰駆動手段３と前記電子ロック機構６および報知手段９０その他のものが接続されている。
【００３５】
上記構成より成る本第１実施例における前記開閉扉９の不正開錠検知の流れを以下で説明する。
最初に本第１実施例のパチンコ遊技機において、電源供給時の営業時間中には図６（ａ）に示されるように前記開閉扉９の鍵が開錠されると、図３および図４に示されるように前記移動部材３０１が移動し、前記位置検出センサー３０２によってＯＦＦ検知され、とともに前記鍵のロック位置検出センサー５によってＯＦＦ検知される。
【００３６】
すなわち、前記鍵のロック機構５０において開錠動作されると前記歯部３１２および前記回転部材３１１が前記回転軸５５を中心として図中反時計方向に回転することにより、図３に示されるように前記歯車３１４と前記歯部３１２が噛み合い、回転動作が連絡されるので前記歯車３１４は図中時計方向に回転し、該歯車３１４と前記支持軸３１３を介し連結された前記内歯車３１６が図中時計方向に回転する。
【００３７】
ここで上述したように前記内歯車３１６の図中時計方向の回転動作は前記係合片３１７と前記内歯車３１６の鋸歯状の歯部が係合することにより前記外歯車３１８に伝動するので、該外歯車３１８の前記先端部を延長した手動操作部３１９が時計方向に回転することにより、前記先端部を延長した手動操作部３１９により図中下方に押圧されていた前記ローラ状部材３２２が図中上方に退避し、前記ローラ状部材３２２を一端支持する前記揺動部材３２１が他端を中心として図中反時計方向に揺動するので、前記接点部材３２３が前記揺動部材３２１と非接触状態となり前記位置検出センサー３０２がＯＦＦ検知される。
【００３８】
ここで、前記開閉扉９の鍵のロック位置検出センサー５のＯＦＦ検知信号に基づき前記開閉扉９の電子ロック機構６において電子ロックが解除されるとともに前記電子ロック機構６のロック状態を検知する電子ロック検知手段７がＯＦＦ検知される。
【００３９】
すなわち前記ソレノイド６２の磁気駆動力により前記往復部材６１が図中左方に移動するので、該往復部材６１と連結された第２の往復部材としての円柱状のロック棒６８が図中左方に移動することにより、前記開閉扉９に配設された第２の固定部材７２の前記穴部７１と非接触状態となり前記開閉扉９が開閉自在な状態となる。また、前記往復部材６１が図中左方に移動するので、該往復部材６１と連結した前記連結部材６５が図中左方に移動するため、前記連結部材６５の下端６５１が図中左方に退避することにより、前記電子ロック機構６のロック状態を検知する電子ロック検知手段７の前記ローラ状部材７３が図中下方への前記下端６５１による押圧から解放され図中上方へと退避し、前記ローラ状部材７３と連動して前記揺動部材７４が反時計方向に揺動することによって、前記揺動部材７４と前記接点部材７５が非接触状態（ロック解除状態）となることによりＯＦＦ検知される。
【００４０】
次に図８（ａ）および図８（ｃ）に示されるように前記開閉扉９が開放されると前記扉開閉検知手段４によってＯＦＦ検知される。
【００４１】
ここで本第１実施例のパチンコ遊技機では、移動した移動部材３０１を定位置に復帰させるために電気的駆動力を用いず、人為的な操作によって復帰させるため、前記開閉扉９が開放された状態において、図２に示されるように復帰駆動手段３０３である前記手動操作部３１９を回転操作することにより、移動部材３０１である前記先端部を延長した手動操作部３１９を有する外歯車３１８が定位置に復帰し前記位置検出センサー３０２によってＯＮ検知させる。
【００４２】
続いて前記開閉扉９が閉鎖されると図８（ｂ）および図８（ｄ）に示されるように前記扉開閉検知手段４によってＯＮ検知され、図６（ｂ）に示されるように前記開閉扉９の鍵が施錠されると前記開閉扉９の鍵のロック位置検出センサー５によってＯＮ検知されるとともに前記位置検出センサー３０２は図２に示されるようにＯＮ検知状態を維持する。
【００４３】
すなわち、前記鍵のロック機構５０において施錠動作されると前記歯部３１２および回転部材３１１が前記回転軸５５を中心として図中時計方向に回転することにより、前記歯車３１４と前記歯部３１２が噛み合い、回転動作が伝動し前記歯車３１４は図中反時計方向に回転し、該歯車３１４と前記支持軸３１３と一体的に形成された前記内歯車３１６が図中反時計方向に回転する。
【００４４】
ここで上述したように前記内歯車３１６の図中反時計方向の回転動作は、前記係合片３１７が前記内歯車３１６の鋸歯状の歯部に係合しないので前記外歯車３１８は反時計方向に回転することなく、該外歯車３１８は前記鍵のロック機構５０によって施錠動作されても静止状態を維持するので、結果として前記先端部を延長した手動操作部３１９は現状を維持することにより、位置検出センサー３０２はＯＮ検知状態を維持する。
【００４５】
ここで、前記開閉扉９の鍵のロック位置検出センサー５のＯＮ検知信号に基づき図１０（ｂ）に示されるように前記開閉扉９の電子ロック機構６において施錠状態となり前記電子ロック機構６のロック状態を検知する電子ロック検知手段７がＯＮ検知される。
【００４６】
すなわち前記ソレノイド６２の磁気駆動力により前記往復部材６１が図中右方に移動するので、該往復部材６１と連結された第２の往復部材としての円柱状のロック棒６８が図中右方に移動することにより、前記開閉扉９に配設された第２の固定部材７２の前記穴部７１に前記円柱状のロック棒６８が収容され、前記開閉扉９が開放不可能な状態となる。また、前記往復部材６１が図中右方に移動するので、該往復部材６１と連結した前記連結部材６５が図中右方に移動するので前記連結部材６５の下端６５１が図中右方に移動することにより、前記電子ロック機構６のロック状態を検知する電子ロック検知手段７の前記ローラ状部材７３を図中下方へ押圧し、前記ローラ状部材７３と連動して前記揺動部材７４が時計方向に揺動することにより、前記揺動部材７４と前記接点部材７５が接触状態となることによりＯＮ検知される。
【００４７】
次に本第１実施例のパチンコ遊技機は、営業時間外においては、電源無供給であり、前記開閉扉９の鍵が開錠されても、電源が供給されていないため前記開閉扉９の鍵のロック位置検出センサー５が、図６（ａ）に示されるようなＯＦＦ状態となるがＯＦＦ検知はされず、当然前記開閉扉９の電子ロック機構６において電子ロックが解除されるための信号も出力されない。
【００４８】
すなわち鍵が開錠されると前記開閉扉９の鍵のロック位置検出センサー５において、前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ状態となるが電源が供給されていないため当然前記開閉扉９の電子ロック機構６において電子ロックが解除されるための信号が出力されないので、前記電子ロック機構６は図１０（ｂ）に示されるように前記往復部材６１が図中右方の位置に維持されるので、該往復部材６１と連結された第２の往復部材としての円柱状のロック棒６８が図中右方の位置に維持されることにより、前記開閉扉９に配設された第２の固定部材７２の前記穴部７１に前記円柱状のロック棒６８が収容された状態を維持するため、前記開閉扉９が開放不可能な状態を維持する。
【００４９】
本第１実施例のパチンコ遊技機においては、営業時間が終了し、正当な手順でパチンコ遊技機への電源が切断された場合には、営業時間外において前記開閉扉９は開放不可能となるように構成されており、不正開錠を検知する機能に加え不正開放を防止する機能を有している。
【００５０】
以下、不正に電子ロックを解除された場合等により前記開閉扉９の鍵５０が不正開錠される場合を説明する。上記した不正開放がされる場合には、前記開閉扉９の電子ロック機構６は図１０（ａ）に示されるように不正解除されており前記電子ロック機構６のロック状態を検知する電子ロック検知手段７はＯＦＦ状態にある。
【００５１】
次に前記開閉扉９の鍵が開錠され、次に図８（ａ）に示されるように前記開閉扉９が開放されると、図４（ａ）に示されるように前記移動部材３０１が移動し、前記鍵のロック位置検出センサー５によってＯＦＦ状態となるとともに前記位置検出センサー３０２によってＯＦＦ状態となり、前記扉開閉検知手段４によってＯＦＦ状態となる。
【００５２】
すなわち、前記鍵のロック機構５０において開錠動作されると前記歯部３１２および回転部材３１１が前記回転軸５５を中心として反時計方向に回転することにより、図２５に示されるように前記歯車３１４と前記歯部３１２が噛み合い、回転動作が連絡され前記歯車３１４は図中時計方向に回転し、該歯車３１４と前記支持軸３１３を介し連結された前記内歯車３１６が図中時計方向に一体的に回転する。
【００５３】
ここで上述したように前記内歯車３１６の図中時計方向の回転動作は、前記係合片３１７と前記内歯車３１６の鋸歯状の歯部が係合することにより前記外歯車３１８に回転連絡されるので、該外歯車３１８の前記先端部を延長した手動操作部３１９が時計方向に回転することにより、前記先端部を延長した手動操作部３１９により図中下方に押圧されていた前記ローラ状部材３２２が図中上方に退避し、前記ローラ状部材３２２を一端支持する前記揺動部材３２１が他端を中心として図中反時計方向に揺動するので、前記接点部材３２３が前記揺動部材３２１と非接触状態となり前記位置検出センサー３０２がＯＦＦ状態となる。
【００５４】
続いて前記開閉扉９が閉鎖されると図８（ｂ）および図８（ｄ）に示されるように前記扉開閉検知手段４がＯＮ状態となり、図６（ｂ）に示されるように前記開閉扉９の鍵が施錠されると前記開閉扉９の鍵のロック位置検出センサー５がＯＮ状態となるが前記位置検出センサー３０２は図５に示されるようにＯＦＦ状態を維持する。
【００５５】
すなわち、前記鍵のロック機構５０において施錠動作されると図４（ｂ）に示されるように前記歯部３１２および回転部材３１１が前記回転軸５５を中心として時計方向に回転することにより、前記歯車３１４と前記歯部３１２が噛み合い、回転動作が伝動し前記歯車３１４は図中反時計方向に回転し、該歯車３１４と前記支持軸３１３を介し連結された前記内歯車３１６が図中反時計方向に一体的に回転する。
【００５６】
ここで上述したように前記内歯車３１６の図中反時計方向の回転動作は前記係合片３１７が前記内歯車３１６の鋸歯状の歯部に係合しないので前記外歯車３１８は反時計方向に回転することなく、該外歯車３１９は前記鍵のロック機構５０によって施錠動作されても静止状態を維持するので、結果として前記先端部を延長した手動操作部３１９は現状を維持することにより、位置検出センサー３０２はＯＦＦ状態を維持する。
【００５７】
上記構成より成る本第１実施例のパチンコ遊技機は、夜間に不正開錠が行われた場合に、翌朝電源が投入されると正当な手順でパチンコ遊技機への電源が切断され、不正開錠されることなく再度電源が投入された場合はＯＮ検知される前記位置検出センサー３０２がＯＦＦ検知されるためこれらの出力に基づき前記判定回路において営業時間外における不正開錠の可能性を判定し、パチンコ遊技機に備えられた報知手段９０によって報知するための信号を出力する。
【００５８】
なお、報知手段９０は、判定回路からの指令により、夜間に不正開錠が行われた場合の不正開錠報知状態と、夜間に不正開錠が行われなかった場合の正常報知状態を備えている。
【００５９】
また、本第１実施例においては、前記開閉扉９が開放されていて、前記鍵のロック位置検出センサー５が、前記鍵のロック機構５０の開錠を検知して出力が出されているときは、図示しない前記手動操作部３１９の係止機構が解除されるので、前記復帰駆動手段３０３である前記手動操作部３１９を回転操作することにより不正開錠により移動した前記移動部材３０１を元に戻すものである。
【００６０】
さらに前記開閉扉９の鍵が不正開錠されるとともに、前記電子ロック機構６が不正開錠されて前記電子ロック状態を検知する電子ロック検知手段７が図１０（ａ）に示されるようなＯＦＦ状態となり前記位置検出センサー３０２が図４（ａ）に示されるようなＯＦＦ状態となった後に、何者かが前記電子ロック機構６のロック状態を検知する電子ロック検知手段７を図１０（ｂ）に示されるようなＯＮ状態に戻した場合にも、本第１実施例のパチンコ遊技機では電源投入時に前記位置検出センサー３０２がＯＦＦ検知されれば前記判定回路において不正開放の可能性ありと判定するように設定してあるため前記電子ロック機構６を操作できる者による不正開放に対しても検出可能なように構成されている。
【００６１】
また、本第１実施例においては、不正開錠による異常状態を判定した際には前記報知手段９０等により報知することに加え、一定条件が満たされるまでの間は遊技の開始を阻止する制御を加える変形例を採用することもできる。
【００６２】
本第１実施例における上述の遊技の開始阻止制御について、図１１のブロック図を用いて説明すると、位置検出センサー３０２または電子ロック機構６のロック状態を検知する電子ロック検知手段７の出力に応じて前記判定回路において不正開錠が検知されるとメイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力する。
【００６３】
次に異常報知および遊技の開始阻止制御の解除方法について以下で説明する。  本第１実施例の変形例の遊技機は、前記異常報知および遊技の開始阻止制御の解除方法として解除スイッチ１１０を備えており、前記解除スイッチ１１０は、図７に示されるように前記枠体１０１の後方方向に押圧可能なスイッチ操作部１１１と、前記枠体１０１の内部に備えられ前記スイッチ操作部１１１が前記枠体１０１の後方方向に押圧されたことを検知する押圧検知センサー１１２とから構成される。また前記解除スイッチ１１０を施錠管理可能とする鍵穴部１１３を有する包囲部材１１４を備えた構成となっている。
【００６４】
不正開錠により異常報知および遊技の開始阻止制御が作動されると、該報知により特定遊技台の不正開錠をホール従業員が確認した後、前記解除スイッチ１１０の前記スイッチ操作部１１１を押圧することにより、前記押圧検知センサー１１２の検知出力がメイン基板ＣＰＵに送信されることにより前記異常報知および前記遊技の開始阻止制御が解除されるとともに、前記開閉扉９の電子ロック機構６において施錠制御される。
【００６５】
以下において、電源切断時に不正開錠され、電源投入時に不正開錠による異常を検知し該異常検知による異常報知および遊技の開始阻止制御を前記解除スイッチ１１０を用いて解除するまでの流れを、前記制御基板１０８に配設された前記ＲＯＭ８２に予め格納されているプログラムに基づく図１２に示されるフローチャートを用いて説明する。
【００６６】
本第１実施例の遊技機は、電源が切断された閉店後、前記開閉扉９の鍵が不正に開錠されると、前記移動部材３０１が移動するので。前記位置検出センサー３０２がＯＮ状態となる。
【００６７】
次にステップ２００１において、翌朝になり開店前に、遊技機の電源が投入される。次にステップ２００２において、前記移動部材３０１が定位置にあるかどうかを、前記位置検出センサー３０２によって検出し、定位置にある場合はステップ２００３において、前記開閉扉９の電子ロック機構６が施錠状態か開錠状態かを前記電子ロック機構６のロック状態を検知する電子ロック検知手段７において検出する。
【００６８】
ステップ２００２において、前記移動部材３０１が定位置にあると判定されると、ステップ２００３において、前記開閉扉９の電子ロック機構６が施錠状態であることが検出される場合は、ステップ２００４において、前記判定回路が正常と判定し、ステップ２００５において、遊技開始可能状態となる。
【００６９】
ステップ２００２において、前記移動部材３０１が定位置にないことすなわち移動位置にあることが検出されるもしくは、ステップ２００３において、前記開閉扉９の電子ロック機構６が開錠状態であることが検出された場合には、ステップ２００６において、前記判定回路が異常と判定し、ステップ２００７において、異常報知が開始されるとともに、ステップ２００８において、遊技球の発射を阻止する制御が開始される。
【００７０】
次にステップ２００９において、従業員により遊技盤に配設された釘の不正操作および制御基板への不正改造への処置がなされた後、前記開閉扉９の鍵のロック位置検出センサー５において開錠が検知されると、ステップ２０１０において、前記判定回路としての前記マイクロコンピュータ８０からの指令により、前記手動操作部３１９の係止機構が解除されるので、従業員が前記手動操作部３１９を操作することにより定位置に復帰させる（前記移動部材３０１が定位置にある場合は該従業員による操作を必要としない）。
【００７１】
次にステップ２０１１において、前記解除スイッチ１１０が操作されると、ステップ２０１２において、開錠状態にある前記開閉扉９の電子ロック機構６が前記ソレノイド６２の磁気駆動力により施錠される（前記開閉扉９の電子ロック機構６が施錠状態にある場合は現状が維持される）。
【００７２】
続いてステップ２０１３において、異常報知が解除されるとともに、ステップ２０１４において、遊技球の発射を阻止する制御が解除されることにより、ステップ２００５において、遊技開始可能状態となる。
【００７３】
本第１実施例の遊技機においては、異常報知および遊技の開始阻止制御の解除方法の一例として前記解除スイッチ１１０を用いたが、以下に説明する電源切換検出手段を用いたもの、またはタイマー回路を用いたものでもよく、さらには前記解除スイッチ１１０または前記電源切換検出手段または前記タイマー回路を組み合わせた変形例を採用することも可能である。
【００７４】
最初に、異常報知および遊技の開始阻止制御の解除方法として電源切換検出手段を用いたものは図１３ブロック図に示されるように電源切換スイッチからの出力をメイン基板ＣＰＵ の電源切換判定制御により該電源切換が所定の条件を満たしているかを判定し、該電源切換が所定の条件を満たしている場合には異常報知および遊技の開始阻止制御を解除するものである。
【００７５】
本第１実施例の遊技機においては、異常報知および異常報知後における遊技の開始阻止制御のその他の解除方法として、電源が切断される時刻から次に電源が投入される時刻が１０秒以内であった場合に、異常報知および遊技の開始阻止制御を解除する例として、図１４および図１５を用いて説明する。
【００７６】
前記電源切換判定制御は、図１４の制御ブロックに示されるように電源切換スイッチからの出力を微分回路を介すことにより、電源投入信号パルスと電源切断信号パルスを抽出する。次に、タイマー回路により前記電源切断信号パルスの立ち上がりから１０秒間で立ち下がる矩形波パルスを出力し、前記電源の再投入信号パルスと前記１０秒間の矩形波パルスとをＡＮＤ 回路に入力することにより、アンド論理が成立する場合には、異常報知後の遊技の開始阻止制御を解除するものである。
【００７７】
図１５に示されるタイムチャートに沿って説明すると、上述の報知により特定遊技台の不正開錠をホール従業員が確認して、必要な処置を行った後、時刻ｔ１において遊技機に投入されていた電源が切断され時刻ｔ２において電源を再投入する。ここで時刻ｔ１では電源切断信号パルスとともに、時刻ｔ１における電源の切断により立ち上がる１０秒間のパルスが出力され、時刻ｔ２において電源再投入信号パルスが出力されると、該電源の切断時刻ｔ１から１０秒以内の時刻ｔ２に再び電源を投入することにより時刻ｔ２において前記電源投入信号パルスと前記１０秒間のパルスが同時に出力され、アンド論理が成立することとなり、不正開錠による異常報知および遊技の開始阻止制御を解除する条件となるＡＮＤ出力が抽出される。
【００７８】
以下においては、電源切断時に不正開錠され、電源投入時に不正開錠による異常を検知し該異常検知による異常報知および遊技の開始阻止制御を電源切換検出手段を用いて解除するまでの流れを図１６に示されるフローチャートを用いて説明する。なお、前記電源切換検出手段の出力により図示しない前記歯車３１４の回転動作を制御可能なステッピングモーター４０３が作動することにより前記移動部材３０１が定位置に戻る例として示す。
【００７９】
最初に、ステップ３００１において、翌朝開店前に遊技機の電源が投入され、ステップ３００２において、前記移動部材３０１が定位置にあるかないかを前記位置検出センサー３０２によって検出し、定位置にある場合はステップ３００３において、前記開閉扉９の電子ロック機構６が施錠状態か開錠状態かを前記電子ロック機構６のロック状態を検知する電子ロック検知手段７において検出する。
【００８０】
ステップ３００２において、前記移動部材３０１が定位置にあることが検出され、かつステップ３００３において、前記開閉扉９の電子ロック６が施錠状態であることが検出される場合は、ステップ３００４において、前記判定回路が正常判定し、ステップ３００５において、遊技開始可能状態となる。
【００８１】
ステップ３００２において、前記移動部材３０１が定位置にないすなわち移動位置にあることが検出されるもしくは、ステップ３００３において、前記開閉扉９の電子ロック６が開錠状態であることが検出された場合には、ステップ３００６において、前記判定回路が異常判定し、ステップ３００７において異常報知が開始されるとともに、ステップ３００８において、遊技球の発射を阻止する制御が開始される。
【００８２】
次にステップ３００９において、電源が切断され、ステップ３０１０において、電源が再び投入されると、ステップ３０１１において、該ステップ３０１０における電源再投入がステップ３００９の電源切断から１０秒以内に行なわれたものかどうかを判定し、ステップ３００９の電源切断からステップ３０１０の電源再投入が１０秒以内に行なわれた場合はステップ３０１２へと続き、ステップ３００９の電源切断からステップ３０１０の電源再投入が１０秒以内に行なわれていない場合はステップ３００７へと戻る。
【００８３】
ステップ３０１１において、異常報知および遊技の開始阻止制御を解除するための電源切換の所定条件が満たされると、ステップ３０１２において、異常報知が解除されるとともに、ステップ３０１３において遊技球の発射を阻止する制御が解除されることにより、ステップ３００５において遊技開始可能状態となる。
【００８４】
続いてステップ３０１０の電源投入時より５秒間が経過した後、ステップ３０１４において移動した前記移動部材３０１が前記復帰駆動手段４０３により定位置に復帰される（前記移動部材３０１が定位置にある場合は現状が維持される）とともに、ステップ３０１５において開錠状態にある前記開閉扉９の電子ロック機構６が前記ソレノイド６２の駆動力により施錠される（前記開閉扉９の電子ロック機構６が施錠状態にある場合は現状が維持される）。なお、従業員は電源投入時刻より５秒以内に前記開閉扉９を閉鎖させるとともに前記開閉扉９の鍵を施錠する。
【００８５】
次に、異常報知および遊技の開始阻止制御の解除方法として前記タイマー回路を用いたものを図１７のブロック図を用いて説明すると、前記位置検出センサー３０２または前記電子ロック機構６のロック状態を検知する電子ロック検知手段７の出力に応じて前記判定回路において不正開錠が検知されると、メイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力し、該出力に応じメイン基板ＣＰＵ に備えられたタイマー回路において１０分間を測定し、上述のように異常報知および遊技の開始阻止制御が作動した後１０分後に前記異常報知および遊技の開始阻止制御を解除する信号が出力されるよう構成されている。
【００８６】
不正開錠により異常報知および遊技の開始阻止制御が作動されると、１０分が経過するまでに特定遊技台への不正開錠をホール従業員が確認するとともに、１０分経過時には上述の不正開錠による異常状態を解除するための信号が人為的操作を必要とすることなく出力される。
【００８７】
以下においては、電源切断時に不正開錠され、電源投入時に不正開錠による異常を検知し該異常検知による異常報知後の遊技の開始阻止制御をプログラムにより等価的に前記タイマー回路を実現して判断した上で、解除するまでの流れを図１８に示されるフローチャートを用いて説明する。なお、前記タイマー回路の出力により図示しない前記歯車３１４の回転動作を制御可能な前記ステッピングモーター４０３が作動することにより前記移動部材３０１が定位置に戻る例として示す。
【００８８】
最初にステップ４００１において、翌朝開店前に遊技機の電源が投入されると、ステップ４００２において、前記移動部材３０１が定位置にあるかないかを前記位置検出センサー３０２において検出し、定位置にある場合はステップ４００３において、前記開閉扉９の電子ロック機構６が施錠状態か開錠状態かを前記電子ロック機構６のロック状態を検知する電子ロック検知手段７において検出する。
【００８９】
ステップ４００２において、前記移動部材３０１が定位置にあることが検出され、かつステップ４００３において、前記開閉扉９の電子ロック機構６が施錠状態であることが検出される場合は、ステップ４００４において、前記判定回路が正常判定し、ステップ４００５において、遊技開始可能状態となる。
【００９０】
ここでステップ４００２において、前記移動部材３０１が定位置にないすなわち移動位置にあることが検出される、もしくはステップ４００３において、前記開閉扉９の電子ロック機構６が開錠状態であることが検出された場合には、ステップ４００６において、前記判定回路が異常判定し、ステップ４００７において異常報知が開始されるとともに、ステップ４００８において、遊技球の発射を阻止する制御が開始される。
【００９１】
ステップ４００９において、ステップ４００６の前記判定回路においての異常判定時刻から１０分経過したかを判断し、１０分未経過の場合はステップ４００７に戻り、１０分経過が判断されると、ステップ４０１０において、移動した前記移動部材３０１が前記復帰駆動手段４０３により定位置に復帰される（前記移動部材３０１が定位置にある場合は現状が維持される）とともに、ステップ４０１１において、開錠状態にある前記開閉扉９の電子ロック機構６が前記ソレノイド６２の磁気駆動力により施錠される（前記開閉扉９の電子ロック機構６が施錠状態にある場合は現状が維持される）。なお、従業員は異常判定時刻から１０分以内に前記開閉扉９を閉鎖させるとともに前記開閉扉９の鍵を施錠する。
【００９２】
続いてステップ４０１２において、異常報知が解除されるとともに、ステップ４０１３において、遊技球の発射を阻止する制御が解除されることにより、ステップ４００５において、遊技開始可能状態となる。
【００９３】
上記作用を奏する本第１実施例のパチンコ遊技機は、前記復帰駆動手段３０３が電気的駆動によるものではなく手動操作によるものであるので、構成がシンプルで安価であり、図２に示されるように前記移動部材３０１または前記位置検出センサー３０２または前記歯車３１４および前記内歯車３１６および前記係合片３１７および前記先端部を延長した手動操作部３１９等を包囲部材１０９により外部から可視不能な構造とすることにより、不正開錠をした者の不正開錠検知を回避するための手動操作を阻止できるという効果を奏する。
【００９４】
また、本第１実施例のパチンコ遊技機は、前記開閉扉９の前記鍵のロック機構５０の開錠を検知して不正開錠を前記判定回路により判定するので、前記開閉扉９の開閉を伴わずに前記開閉扉９の鍵のロック機構５０の開錠により行われる不正行為に対しても検知することが出来るという効果を奏する。
【００９５】
さらに第１実施例の遊技機は、夜間における前記開閉扉９の鍵の開錠動作に連動して動く前記移動部材３０１の位置を、翌朝電源投入がされた後、前記位置検出センサー３０２によって、定位置にあるのか、移動した位置にあるのかを検出して、前記位置検出センサー３０２の出力に基づき判定回路により前記開閉扉９の鍵の開錠判定をすることにより、夜間における前記開閉扉９の鍵の不正開錠を精確に検知するという効果を奏する。
【００９６】
また本第１実施例の遊技機は、翌朝および昼間の電源投入時において前記鍵のロック位置検出センサー５が、前記鍵のロック機構５０のロック状態を検知して出力が出されているときは、前記判定回路が、前記位置検出センサー３０２の出力とともに参照して、夜間前記開閉扉９の鍵の不正開錠が行われたことを判定するとともに前記移動部材３０１が移動していると判定された場合には前記復帰駆動手段３０３の係止機構が解除されるので、翌朝電源投入時において前記復帰駆動手段３０３である前記手動操作部３１９を回転操作することにより不正開錠により移動した前記移動部材３０１を確実に定位置に復帰させて新たな不正開錠を検知できるようにするという効果を奏する。
【００９７】
なお、本第１実施例の遊技機は、仮に位置検出センサー３０２が壊れて、前記移動部材３０１の移動を検知出来ない場合でも、前記開閉扉９の鍵のロック位置検出センサー５が前記鍵のロック機構５０の開錠を検知している場合には、前記判定回路によって不正開錠があったと判定することが出来るという効果を奏する。
【００９８】
また本第１実施例の遊技機は、前記解除スイッチ１１０、電源切断検出手段およびまたはタイマー回路を用いて上述の所定の条件を満たした時は、上述のロック位置検出センサー５が壊れて、前記鍵のロック機構５０の開錠を検知する出力が出されていない場合には、前記復帰駆動手段３０３の係止機構を解除する作動信号を出力して、従業員による復帰駆動手段３０３の操作を可能にして、前記移動部材３０１を定位置に復帰させることができるため、夜間における前記開閉扉９の鍵の不正開錠を精確に検知するとともに、翌朝電源投入後に遊技盤に配設された釘への不正操作および制御基板の不正改造に対する処置を可能にして、新たな不正開錠が検知出来るように前記移動部材３０１を定位置に復帰させるという効果を奏する。
【００９９】
さらに本第１実施例の遊技機は、前記報知手段９０が、前記判定回路において前記移動部材３０１が定位置にあることを判定した時には、前記移動部材３０１が定位置にあることを報知するので、夜間における前記開閉扉９の鍵の不正開錠が無かったことを確実に報知して、遊技盤に配設された釘への不正操作および制御基板の不正改造の有無をチェックすることを不要にするという効果を奏する。
【０１００】
また、本第１実施例の遊技機は、異常判定制御からの出力信号に基づき、図柄表示装置、スピーカ、装飾ランプまたは役物装置等のいずれかまたは報知手段９０を用いて報知することが出来るので、確実に報知して、遊技盤に配設された釘への不正操作および制御基板の不正改造に対する処置を可能にするという効果を奏する。
【０１０１】
また本第１実施例の遊技機は、異常判定制御からの出力信号に基づき、上述のように報知するとともに、発射ソレノイドをＯＦＦとする信号を出力して、遊技球の発射阻止を可能にするという効果を奏する。
【０１０２】
さらに本第１実施例の遊技機においては、前記解除スイッチ１１０からの信号に基づき、上述の異常報知および遊技の開始阻止制御を簡単且つ確実に解除することが出来るという効果を奏する。
【０１０３】
また本第１実施例の遊技機においては、前記解除スイッチ１１０を用いることなく上述の電源切換検出手段を用いることにより、上述の異常報知および遊技の開始阻止制御を簡単且つ確実に解除することが出来るという効果を奏する。
【０１０４】
また本第１実施例の遊技機においては、上述の制御基板の不正改造に対する処置を行なうのに必要な時間を考慮した例えば１０分に設定された等価的なタイマー回路を用いることにより、ホール従業員の前記解除スイッチ１１０その外の何らの操作を必要とすることなく、上述の異常報知および遊技の開始阻止制御を簡単且つ確実に解除することが出来るという効果を奏する。
【実施例２】
【０１０５】
本第２実施例のパチンコ遊技機は、図１９ないし図２４に示されるように外枠１０１および該外枠１０１に対して開閉自在に配設された前記開閉扉９および遊技盤本体１００を備えた遊技機において、前記開閉扉９の開錠動作に連動して動く移動部材と、前記移動部材の位置を検出して定位置にあるのか、移動した位置にあるのかを検出する位置検出センサーと、移動した前記移動部材の位置を定位置に復帰させる電気的な復帰駆動手段と、前記開閉扉９の開放および閉鎖を検知する扉開閉検知手段４と、前記開閉扉９に配設された鍵のロック機構５０の開施錠を検知して、前記復帰駆動手段に復帰駆動指令を出力するための開閉扉９の鍵のロック位置検出センサー５と、前記位置検出センサーの出力により前記開閉扉９の鍵の開錠判定する判定回路を備えている。以下で本第２実施例の構成および不正開錠検知の流れについて実施例１との相違点を中心に説明する。
【０１０６】
前記移動部材は、図１９ないし図２４に示されるように前記外枠１０１の後方に配設された内部に上下方向に形成された移動空間６１１を有する中空状の固定部材６５０の、前記上下方向に形成された移動空間６１１内に上下方向に移動可能に配設された矩形部材６１２とから成り、円柱状のロッド部材６１３が前記矩形部材６１２と一体的に形成されている。
【０１０７】
本第２実施例の移動機構６１０は、ラックアンドピニオン機構によって構成され、前記移動部材と、前記開閉扉９の鍵の開施錠動作に連動して回転する歯車６４０と、該歯車６４０の歯部と噛み合う歯部を有し横方向に移動する往復部材６１４と、図２１に示されるように前記往復部材６１４の先端部に前記往復部材６１４に対してヒンジ部６１５を介して前記矩形部材６１２と、該矩形部材６１２の図中上方への移動を可能にするために反時計方向上方に揺動自在に形成された略コの字状の揺動部材６１６と、該略コの字状の揺動部材６１６の前記矩形部材６１２の図中下方への移動を阻止するために時計方向下方への揺動動作を阻止する阻止機構６１７により構成される。
【０１０８】
なお、前記矩形部材６１２の一辺は前記略コの字状の揺動部材６１６の対向間隔L より長く設定され、前記円柱状のロッド部材６１３の直径は前記略コの字状の揺動部材６１６の対向間隔L より短く設定されている。これにより、図１９に示されるような前記開閉扉９の鍵の開錠前には前記略コの字状の揺動部材６１６が前記矩形部材６１２の図中下方への落下を阻止するとともに、図２２に示されるように前記開閉扉９の鍵の施錠時には図中右方へ移動してきた前記略コの字状の揺動部材６１６と前記円柱状のロッド部材６１３との干渉を回避することが可能な構成となっている。
【０１０９】
前記位置検出センサーは、図１９、図２０、図２２および図２３に示されるように前記固定部材６５０内部に形成された前記移動空間６１１の下側に、前記矩形部材６１２の一辺以上の距離を離して対向配設された、発光装置６２１および受光検知装置６２２とから成る。
【０１１０】
前記復帰駆動手段は、復帰駆動電流に基づく磁気駆動力により前記円柱状のロッド部材６１３を図中上方へ吸引するソレノイド６３１により構成され、前記ソレノノイド６３１は、図２０および図２２に示されるように前記矩形部材６１２および前記円柱状のロッド部材６１３が前記移動空間６１１の下側に落下した際に、前記円柱状のロッド部材６１３の上端が前記ソレノイド６３１の下端より図中上方に存在する位置に配設される。
【０１１１】
前記扉開閉検知手段４は、上記記載の実施例と同様の構成より成るので、説明を省略する。
前記開閉扉９の鍵のロック位置検出センサー５は、上記記載の実施例と同様の構成より成るので、説明を省略する。
【０１１２】
上記構成より成る本第２実施例における前記開閉扉９の鍵の不正開錠検知の流れを以下で説明する。
【０１１３】
最初に本第２実施例のパチンコ遊技機において営業時間中の電源供給時に前記開閉扉９の鍵が開錠されると、前記鍵のロック位置検出センサー５によってＯＦＦ検知されるとともに、図２０に示されるように前記移動部材が定位置より落下移動することにより前記位置検出センサーにおいてＯＦＦ検知される。
【０１１４】
すなわち鍵が開錠されると前記開閉扉９の鍵のロック位置検出センサー５において、前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ検知される。
【０１１５】
また、図２０に示されるように前記開閉扉９の鍵の開錠にともない前記往復部材６１４および前記略コの字状の揺動部材６１６が図中左方へ移動するため、該略コの字状の揺動部材６１６に支持されていた前記矩形部材６１２および円柱状のロッド部材６１３が図中下方へと落下することにより、前記発光装置６２１から放出された光を前記矩形部材６１２が遮ることにより前記受光検知装置６２２へと該放出された光を到達することを回避するので前記位置検出センサーにおいてＯＦＦ検知される。
【０１１６】
続いて前記開閉扉９が開放されると図８（ａ）および図８（ｃ）に示されるように前記扉開閉検知手段４によってＯＦＦ検知される。
【０１１７】
すなわち前記開閉扉９が図中右方に移動する（図８（ｃ））または時計方向に揺動する（図８（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４においてＯＦＦ検知される。
【０１１８】
続いて前記開閉扉９が閉鎖されると図８（ｂ）および図８（ｄ）に示されるように前記扉開閉検知手段４によってＯＮ検知される。
【０１１９】
すなわち前記開閉扉９が図中左方に移動する（図８（ｄ））または反時計方向に揺動する（図８（ｂ））ので、前記ローラ状部材４４が前記開閉扉９により図中左方に押圧されるので、前記ローラ状部材４４に連動して動く前記揺動部材４５が時計方向に揺動し前記接点部材４５４と接触状態となることにより前記扉開閉検知手段４によってＯＮ検知される。
【０１２０】
続いて、前記開閉扉９の鍵が施錠され前記鍵のロック位置検出センサー５におけるＯＮ検知を受け、前記判定回路において、該開閉扉９の鍵の開施錠が営業時間中（電源供給時）における正常な開施錠であると判定されると、前記復帰駆動手段に作動信号を出力する。
【０１２１】
すなわち、図２３に示されるように前記復帰駆動手段が復帰駆動電流に基づき前記ソレノイド６３１の磁気駆動力により前記円柱状のロッド部材６１３を図中上方に誘引することにより、前記円柱状のロッド部材６１３と一体的に形成された前記矩形部材６１２が図中上方へと移動するため、前記位置検出センサーにおいて再びＯＮ検知される。
【０１２２】
なお前記ソレノイド６３１の磁気駆動力により前記円柱状のロッド部材６１３と一体となって図中上方へ吸引された前記矩形部材６１２は、前記略コの字状の揺動部材６１６の下端に当接し前記略コの字状の揺動部材６１６を図中上方へ押圧することにより、前記ヒンジ部６１５に支持された略コの字状の揺動部材６１６が反時計方向に揺動することにより、前記矩形部材６１２および円柱状のロッド部材６１３が前記開閉扉９の閉鎖時に定位置に復帰することが可能となる。
【０１２３】
次に、本第２実施例のパチンコ遊技機において営業時間外の電源非供給時において前記開閉扉９の鍵の不正開錠がされると、前記鍵のロック位置検出センサー５は、図６（ａ）に示されるようにＯＦＦ状態となるとともに、前記移動部材としての前記矩形部材６１２が図２０に示されるように図中下方へ自然落下して移動することにより前記位置検出センサーがＯＦＦ状態となる。
【０１２４】
また、図２０に示されるように前記開閉扉９の鍵の開錠にともない前記矩形部材６１２が載置されていた前記往復部材６１４および前記略コの字状の揺動部材６１６が図中左方へ移動するため、該略コの字状の揺動部材６１６に載置されていた前記矩形部材６１２および円柱状のロッド部材６１３が自重により図中下方へと落下し、前記発光装置６２１から放出された光を遮ることにより前記受光検知装置６２２へと該放出された光が到達することを阻止するので前記位置検出センサーにおいてＯＦＦ状態となる。
【０１２５】
続いて前記開閉扉９が開放されると図８（ａ）および図８（ｃ）に示されるように前記扉開閉検知手段４によってＯＦＦ状態となる。
【０１２６】
すなわち前記開閉扉９が図中右方に移動する（図８（ｃ））または時計方向に揺動する（図８（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４によってＯＦＦ状態となる。
【０１２７】
続いて前記開閉扉９が閉鎖されると図８（ｂ）および図８（ｄ）に示されるように前記扉開閉検知手段４によってＯＮ状態となる。
【０１２８】
すなわち前記開閉扉９が図中左方に移動する（図８（ｄ））または反時計方向に揺動する（図８（ｂ））ので、前記ローラ状部材４４が前記開閉扉９により図中左方に押圧されるので、前記ローラ状部材４４に連動して動く前記揺動部材４５が時計方向に揺動し前記接点部材４５４と接触状態となることにより前記扉開閉検知手段４によってＯＮ状態となる。
【０１２９】
続いて、前記開閉扉９の鍵が施錠され前記鍵のロック位置検出センサー５においてＯＮ状態となる。
【０１３０】
ここで、営業時間中の電源供給時においては、前記開閉扉９の鍵が施錠され前記鍵のロック位置検出センサー５におけるＯＮ検知を受けると、前記判定回路において該開閉扉９の鍵の開施錠が営業時間中における正常な開施錠であると判定され、前記復帰駆動手段に作動信号を出力するが、営業時間外の電源非供給時においては、当然として前記鍵のロック位置検出センサー５におけるＯＮ検知もされないし、結果として前記判定回路から前記復帰駆動手段に出される作動信号も出力されない。
【０１３１】
すなわち、前記円柱状のロッド部材６１３および矩形部材６１２は図中下方に落下した位置で維持されるため、前記位置検出センサーにおいては図２２に示されるようにＯＦＦ状態を維持する。
【０１３２】
ここで、翌朝電源が投入されると、正当な手順でパチンコ遊技機への電源が切断され、不正開錠されることなく再度電源が投入された場合はＯＮ検知される前記位置検出センサーがＯＦＦ検知されるため、これらの出力に基づき前記判定回路において営業時間外における不正開錠の可能性を判定し、報知指令を出力することによりパチンコ遊技機に備えられた報知手段９０によって報知される。
【０１３３】
なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると、前記判定回路からの復帰駆動指令により前記復帰駆動手段が作動し、前記移動部材が定位置に戻り前記位置検出センサーにおいてＯＮ検知される。なお、異常報知の解除方法としては、第１実施例に記載したタイマー回路を用いる。
【０１３４】
また、本第２実施例の遊技機は、翌朝の電源投入時においては前記鍵のロック位置検出センサー５が、前記鍵のロック機構５０の施錠を検知して出力が出されているときは、前記判定回路が、前記復帰駆動手段に復帰駆動指令を出力するので手動操作を要求することなく前記移動部材を確実に定位置に復帰させて新たな不正開錠を検知できるようにするとともに、昼間の営業時間中の従業員が行う遊技機の前記開閉扉９の鍵の開施錠動作を伴う点検業務を円滑なものとするという効果を奏する。
【０１３５】
上記構成より成る本第２実施例のパチンコ遊技機は、上述したように営業時間外における不正開錠の可能性を判定し、パチンコ遊技機に備えられた報知手段９０によって報知することにより、電源切断時における前記開閉扉９の鍵の不正開錠があったことを確実に報知して、遊技盤に配設された釘への不正操作および制御基板の不正改造に対する処置を可能にするという効果を奏する。
【０１３６】
また、図１９に示されるように前記移動空間６１１を前記固定部材６５０の内部に形成することにより等価的に、前記移動部材および前記位置検出センサーを包囲する包囲構造を構成することにより、前記開閉扉９の鍵の開錠動作に連動して移動した前記移動部材の位置を作為的に定位置に戻すことを不可能にするという効果を奏する。
【０１３７】
さらに本第２実施例の遊技機は、前記開閉扉９の鍵の開錠動作に連動して前記移動部材の自重を利用して落下移動させるものであるので、安価且つシンプルな構成により、電源切断時における前記開閉扉９の鍵の不正開錠があったことを確実に報知して、遊技盤に配設された釘への不正操作および制御基板の不正改造に対する処置を可能にするという効果を奏する。
【０１３８】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【０１３９】
上述の実施例は、一例としてパチンコ遊技機について説明したが、本発明としてはそれらに限定されるものでは無く、パチンコ遊技機に限らず、外枠および開閉扉を有する回胴式遊技機をはじめその他本発明を適用可能な遊技機等についても適用可能である。
【０１４０】
上述の第１実施例においては一例として鍵の開錠動作に連動して移動する移動部材と、移動部材の位置を検出する位置検出センサーと、位置検出センサーからの出力に基づき鍵の開錠を判定する判定回路とに加え、扉開閉検知手段と鍵のロック機構と、鍵のロック位置検出センサーと、電子ロック機構と、電子ロック検知手段を備えている例について説明したが、本発明としてはそれらに限定されるものではなく、移動部材と位置検出センサーと判定回路のみが必須の構成要件であり、その他の構成については必要に応じて適宜組合わせればよい選択的構成要件である。
【０１４１】
また、上述の実施例では復帰駆動手段の作動契機として、一例として鍵のロック位置検出センサーにおける検知出力、解除スイッチ、電源切換検出手段またはおよびタイマー回路を用いたが、扉開閉検知手段またはおよび位置検出センサーにおける検知出力のみでも復帰駆動手段の作動契機とする構成としてもよいし、その他本発明の技術構成を満たす範囲内においては適宜選択して用いることができる。
【０１４２】
上述の第１実施例のパチンコ遊技機においては、一例として前記移動部材３０１の位置を検出するための前記位置検出センサー３０２として押圧検知センサーを用いた態様を、移動された前記移動部材３０１の位置を定位置に復帰させる前記復帰駆動手段３０３として前記手動操作部３１９を用いた態様を、前記開閉扉９の開閉を検知する前記扉開閉検知手段４として押圧検知センサーを用いた態様を、前記開閉扉９の鍵のロック位置検出センサー５として押圧検知センサーを用いた態様を、前記開閉扉９の電子ロック機構６としてソレノイドを用いた態様を、前記電子ロック機構６のロック状態を検知する電子ロック検知手段７として押圧検知センサーを用いた態様を採用したが、本発明はこれらに限定されるものではなく前記復帰駆動手段３０３または前記開閉扉９の電子ロック機構６としてモーター等を用いた態様や、さらには前記開閉扉９の開閉または開閉扉の鍵のロックまたは電子ロック状態または前記移動部材３０１の位置を検出するのに光学的フォトセンサーの他、磁気的センサーその他の物理的減少を利用した非接触式センセーおよび接触式センサーを用いた態様を採用することが出来る。
【０１４３】
また、第１実施例においては、前記報知手段９０が不正開錠が行われたことを報知する不正開錠報知状態および不正開錠が行われなかったことを報知する正常報知状態を実現したが、不正開錠報知状態を実現するのみもしくは正常報知状態を実現するのみの構成としてもよい。
【０１４４】
また、第１実施例における前記タイマー回路においては不正開錠による異常状態の自動解除までの時間を一例として１０分後と設定したが、前記異常状態の自動解除までの時間を２０分と設定するもしくは１０分を２０分に延長させるための手段を設けることが出来る。
また、前記タイマー回路を等価的に実現する手段としてサブ基板のＲＴＣを用いた構成とすることも出来る。
【０１４５】
また、前記鍵操作部５４においてレバー操作により前記鍵のロック機構５０の開施錠を実現する構成とすることも出来る。
【０１４６】
また、前記包囲部材は、前記移動部材に加え前記位置検出センサーおよび前記復帰駆動手段等も包囲するように適用可能であり、本発明の効果を実現するにあたり有効的に適宜活用できるものである。
【０１４７】
また、上述の第２実施例では一例として昼間の電源投入時の前記復帰駆動手段の作動契機を前記開閉扉９の鍵のロック位置検出センサー５の検知状態としたが、本発明はこれに限定されるものではなく前記復帰駆動手段の作動契機を前記扉開閉検知手段４とすることも出来る。
【０１４８】
また、上述の第２実施例において、第１実施例と同様に不正開錠による異常状態を判定した際に前記報知手段９０等により報知することに加え、一定条件が満たされるまでの間は遊技の開始を阻止する制御を加えることも出来る。
【０１４９】
上述の実施例では、図７に示されるように前記解除スイッチが前記開閉扉またはおよび遊技盤本体が閉鎖されている状態においても操作可能な構成としたが、本発明においては前記解除スイッチを前記開閉扉またはおよび遊技盤本体が開放されている状態において操作可能な構成とすることもできる。なお、前記開閉扉またはおよび遊技盤本体が開放されている状態において前記解除スイッチが操作されると、一例として５秒間が経過した後に前記復帰駆動手段へ復帰駆動指令を出力する構成とすることが可能であり、従業員は前記解除スイッチを操作して５秒以内に前記開閉扉またはおよび遊技盤本体を閉鎖させる。
【０１５０】
また、上述の第２実施例において、異常状態を解除する方法として第１実施例で示した解除スイッチまたはおよび電源切換検出手段を用いることも出来る。
【０１５１】
ここで、第１実施例または第２実施例における報知の方法については一例としてパチンコ遊技機に備えられた報知手段９０によって報知する例について説明したが、本発明はこれに限定されるものでなくパチンコ遊技機では報知されることなく、ホールの集中管理室または島データ表示装置等によって報知、もしくはこれらの組み合わせによって報知されるものであってもよい。
【０１５２】
上述の実施例においては、一例として前記枠体１０１および前記遊技盤本体１００に対する前記開閉扉９の鍵の不正開施錠を検知する実施例を記載したが、不正開施錠を検知する対象を前記遊技盤本体および前記開閉扉とするか、前記開閉扉のみとするかは、上述した不正開施錠検知機構の配置を変えることにより容易に実現できるものであり、上述の第１実施例および第２実施例においてどちらの不正開施錠を検知する構成とするかは選択的事項である。
【産業上の利用可能性】
【０１５３】
外枠および該外枠に対して開閉自在に配設された開閉扉および遊技盤本体を備えた遊技機において、前記開閉扉またはおよび遊技盤本体の鍵の開錠動作に基づき移動する移動部材と、前記移動部材の位置を検出して定位置にあるのか、移動した位置にあるのかを検出する位置検出センサーと、前記位置検出センサーの出力に基づき前記開閉扉またはおよび遊技盤本体の開閉を判定する判定回路を備え
ることにより、電源が供給されていない夜間における前記開閉扉またはおよび遊技盤本体の鍵の不正開錠および制御基板の不正改造を精確に検知するとともに、翌朝電源投入後に制御基板の不正改造に対する処置を可能にするという用途にも適用できる。
【図面の簡単な説明】
【０１５４】
【図１】本発明の第１実施例のパチンコ遊技機において、開閉扉を開放した時の斜視図である。
【図２】本第１実施例のパチンコ遊技機において、開閉扉の鍵の施錠時における移動部材周辺の部材の位置関係を示す部分拡大斜視図である。
【図３】本第１実施例のパチンコ遊技機において、開閉扉の鍵の開錠途中における移動部材周辺の部材の位置関係を示す部分拡大斜視図である。
【図４】本第１実施例のパチンコ遊技機において、開閉扉の鍵の開錠後および施錠中における移動部材周辺の部材の位置関係を示す部分拡大斜視図である。
【図５】本第１実施例のパチンコ遊技機において、開閉扉の鍵の開錠後再び施錠された後における移動部材周辺の部材の位置関係を示す部分拡大斜視図である。
【図６】本第１実施例のパチンコ遊技機において、鍵のロック機構、開閉扉の鍵のロック位置検出センサーにおける開錠状態および施錠状態を示す部分拡大背面図である。
【図７】本第１実施例のパチンコ遊技機において、開閉扉、扉開閉検知手段、包囲部材を示す部分拡大斜視図である。
【図８】本第１実施例のパチンコ遊技機において、開放および閉鎖の各状態の開閉扉、扉開閉検知手段を示す部分拡大平面図および部分拡大側面図である。
【図９】本第１実施例のパチンコ遊技機において、開閉扉の電子ロック機構、電子ロック機構のロック状態を検知する電子ロック検知手段を示す部分拡大斜視図である。
【図１０】本第１実施例のパチンコ遊技機において、開閉扉の電子ロック機構、電子ロック機構のロック状態を検知する電子ロック検知手段におけるロック状態およびロック解除状態を示す部分拡大背面図である。
【図１１】本第１実施例および変形例のパチンコ遊技機において、不正開錠を検知し該不正開錠の報知および遊技の開始阻止制御を行い、これら不正開錠による異常状態を解除スイッチにより解除するときの制御ブロック図である。
【図１２】本第１実施例の変形例のパチンコ遊技機において、不正開錠を検知し該不正開錠の報知および遊技の開始阻止制御を行い、これら不正開錠による異常状態を解除スイッチにより解除するときのフローチャート図である。
【図１３】本第１実施例の変形例のパチンコ遊技機において、不正開錠を検知し該不正開錠の報知および遊技の開始阻止制御を行い、これら不正開錠による異常状態を電源切換検出手段により解除するときの制御ブロック図である。
【図１４】本第１実施例の変形例のパチンコ遊技機において、不正開錠を検知し該不正開錠の報知および遊技の開始阻止制御を行い、これら不正開錠による異常状態を電源切換検出手段により解除するときの簡略回路図である。
【図１５】本第１実施例の変形例のパチンコ遊技機において、不正開錠を検知し該不正開錠の報知および遊技の開始阻止制御を行い、これら不正開錠による異常状態を電源切換検出手段により解除するときの出力信号のタイムチャート図である。
【図１６】本第１実施例の変形例のパチンコ遊技機において、不正開錠を検知し該不正開錠の報知および遊技の開始阻止制御を行い、これら不正開錠による異常状態を電源切換検出手段により解除するときのフローチャート図である。
【図１７】本第１実施例の変形例のパチンコ遊技機において、不正開錠を検知し該不正開錠の報知および遊技の開始阻止制御を行い、これら不正開錠による異常状態をタイマー回路を用いて解除する制御ブロック図である。
【図１８】本第１実施例の変形例のパチンコ遊技機において、不正開錠を検知し該不正開錠の報知および遊技の開始阻止制御を行い、これら不正開錠による異常状態をタイマー回路を用いて解除するフローチャート図である。
【図１９】本第２実施例のパチンコ遊技機において、開閉扉の鍵の開錠前における移動部材の位置を示す部分拡大断面図である。
【図２０】本第２実施例のパチンコ遊技機において、開閉扉の鍵の開錠時における落下した移動部材の位置を示す部分拡大断面図である。
【図２１】本第２実施例のパチンコ遊技機において、往復部材、ヒンジ部、略コの字状の揺動部材、阻止機構を示す部分拡大斜視図である。
【図２２】本第２実施例のパチンコ遊技機において、開閉扉の鍵の開錠後施錠された状態における移動部材の位置を示す部分拡大断面図である。
【図２３】本第２実施例のパチンコ遊技機において、開閉扉の鍵の開施錠後、復帰駆動手段により移動部材を上方位置に復帰させる途中の揺動部材が反時計方向に揺動した状態を示す部分拡大断面図である。
【図２４】本第２実施例のパチンコ遊技機において、略コの字状の揺動部材と円柱状のロッド部材との位置関係を示す図４０におけるＡ−Ａ線矢視の部分拡大図である。
【図２５】従来の第１の遊技機において、ソレノイドにより移動させて下扉の閉動作を阻止する前記移動部材を示す部分断面図である。
【図２６】従来の第２の遊技機において、レールに移動可能に取り付けられ、扉が開放されると移動する扉開放センサを示す部分断面図である。
【符号の説明】
【０１５５】
３０１  移動部材
３０２  位置検出センサー
３０３  復帰駆動手段
４  扉開閉検知手段
５  開閉扉の鍵のロック位置検出センサー
６  開閉扉の電子ロック機構
７  電子ロック機構のロック状態を検知する電子ロック検知手段
９  開閉扉
１００  遊技盤本体
１０１  枠体
【図１】
2010029321.tif 000003
【図２】
2010029321.tif 000004
【図３】
2010029321.tif 000005
【図４】
2010029321.tif 000006
【図５】
2010029321.tif 000007
【図６】
2010029321.tif 000008
【図７】
2010029321.tif 000009
【図８】
2010029321.tif 000010
【図９】
2010029321.tif 000011
【図１０】
2010029321.tif 000012
【図１１】
2010029321.tif 000013
【図１２】
2010029321.tif 000014
【図１３】
2010029321.tif 000015
【図１４】
2010029321.tif 000016
【図１５】
2010029321.tif 000017
【図１６】
2010029321.tif 000018
【図１７】
2010029321.tif 000019
【図１８】
2010029321.tif 000020
【図１９】
2010029321.tif 000021
【図２０】
2010029321.tif 000022
【図２１】
2010029321.tif 000023
【図２２】
2010029321.tif 000024
【図２３】
2010029321.tif 000025
【図２４】
2010029321.tif 000026
【図２５】
2010029321.tif 000027
【図２６】
2010029321.tif 000028